(57)【要約】【課題】  合成樹脂製のケースであっても放熱性が向上するように工夫した放電灯点灯装置を提供する。【解決手段】  合成樹脂製のケース１１内に電子部品を実装した放電灯点灯回路基板１２が収納されて、このケース１１内に、少なくとも一部の放電灯点灯回路基板１２が埋まるように合成樹脂製の充填材１３が充填されてなる放電灯点灯装置１０Ａ〜１０Ｄにおいて、一端側１４ａがケース１１内の充填材１３に接触し、他端側１４ｂがケース１１外に露出する金属製の放熱部材１４が設けられている。【選択図】  図１
2005129394.tif 000002
【特許請求の範囲】
【請求項１】
合成樹脂製のケース内に電子部品を実装した放電灯点灯回路基板が収納されて、このケース内に、少なくとも一部の放電灯点灯回路基板が埋まるように合成樹脂製の充填材が充填されてなる放電灯点灯装置において、
一端側がケース内の充填材に接触し、他端側がケース外に露出する金属製の放熱部材が設けられていることを特徴とする放電灯点灯装置。
【請求項２】
上記放熱部材の一端側は、放電灯点灯回路基板の端部に対して、絶縁用隙間が隔てられている請求項１記載の放電灯点灯装置。
【請求項３】
上記ケース内は、少なくとも放電灯点灯回路基板を収納する室と放熱部材の一端側を収納する室とに区画されて、各室の区画壁には、充填材の通過部が形成されている請求項１記載の放電灯点灯装置。
【請求項４】
上記放熱部材の一端側の一部は、放電灯点灯回路基板のアース電位に接触されている請求項１〜３のいずれか１項に記載の放電灯点灯装置。
【請求項５】
上記放熱部材は、逆Ｕ字状に形成されて、上記ケースの側壁に上方から差し込まれている請求項１〜４のいずれか１項に記載の放電灯点灯装置。
【請求項６】
上記放熱部材は、金属製のケース蓋に一体成形されている請求項１〜５のいずれか１項に記載の放電灯点灯装置。
【発明の詳細な説明】
【技術分野】
【０００１】
本発明は、放熱性が向上する放電灯点灯装置に関する。
【背景技術】
【０００２】
従来、図８に示すように、アルミニューム板を板金加工したケース１内に電子部品を実装した放電灯点灯回路基板２を収納して（電子部品の図示は省略）、このケース１内に、放電灯点灯回路基板２が埋まるように合成樹脂製の充填材３を充填してなる放電灯点灯装置がある。なお、４は、アルミニューム板を板金加工したケース蓋、５は、絶縁スぺーサーである。
【０００３】
上記ケース１を金属製としたのは、放電灯点灯回路基板２の電子部品の発熱が充填材３からケース１に伝導して、ケース１から外部に放熱するためであり、この放熱が充分でないと、放電灯点灯回路に影響を与えることがある。
【０００４】
このような板金加工したケース１に合成樹脂製の充填材３を充填すると、ケース１の稜や角の折り目に発生する隙間から充填材３が漏れ出すことがあったために、充填材３の粘度を高くしたり、漏れ出さないように隙間を塞ぐというような対策が必要であった。
【０００５】
そこで、充填材３の漏れ出しを防ぐために、ケース１を隙間の無い合成樹脂製とすることが考えられるが、熱伝導性の違いから金属製のケース１と比べて放熱性が劣るという問題がある。
【０００６】
なお、合成樹脂間に金属板を挟み込んだ構造を持つ基板に発熱部品を面実装して基板アセンブリを構成して、この基板アセンブリを合成樹脂ケースに収納して、基板アセンブリと合成樹脂ケースとの間にポッティング樹脂を充填する電子ユニットの放熱構造がある（例えば、特許文献１参照）。
【特許文献１】特開２００２−２０８６５９号公報
【発明の開示】
【発明が解決しようとする課題】
【０００７】
しかしながら、特許文献１のような放熱構造であっても、ケースが合成樹脂製であることから、金属製のケースと比べて放熱性が劣るという問題を解消できなかった。
【０００８】
本発明は、上記問題を解消するためになされたもので、合成樹脂製のケースであっても放熱性が向上するように工夫した放電灯点灯装置を提供することを課題とするものである。
【課題を解決するための手段】
【０００９】
上記課題を解決するために、本発明は、合成樹脂製のケース内に電子部品を実装した放電灯点灯回路基板が収納されて、このケース内に、少なくとも一部の放電灯点灯回路基板が埋まるように合成樹脂製の充填材が充填されてなる放電灯点灯装置において、
一端側がケース内の充填材に接触し、他端側がケース外に露出する金属製の放熱部材が設けられていることを特徴とする放電灯点灯装置を提供するものである。
【００１０】
請求項２のように、上記放熱部材の一端側は、放電灯点灯回路基板の端部に対して、絶縁用隙間が隔てられている構成とすることが好ましい。
【００１１】
請求項３のように、上記ケース内は、少なくとも放電灯点灯回路基板を収納する室と放熱部材の一端側を収納する室とに区画されて、各室の区画壁には、充填材の通過部が形成されている構成とすることが好ましい。
【００１２】
請求項４のように、上記放熱部材の一端側の一部は、放電灯点灯回路基板のアース電位に接触されている構成とすることが好ましい。
【００１３】
請求項５のように、上記放熱部材は、逆Ｕ字状に形成されて、上記ケースの側壁に上方から差し込まれている構成とすることが好ましい。
【００１４】
請求項６のように、上記放熱部材は、金属製のケース蓋に一体成形されている構成とすることが好ましい。
【発明の効果】
【００１５】
本発明によれば、合成樹脂のケース内に収納した放電灯点灯回路基板が埋まるように合成樹脂製の充填材を充填するとともに、一端側がケース内の充填材に接触し、他端側がケース外に露出する金属製の放熱部材を設けたから、放電灯点灯回路基板の電子部品の発熱は、充填材からケース内の放熱部材の一端側に伝導して、この放熱部材の他端側からケースの外部に放熱されるようになるので、合成樹脂製のケースであっても金属製のケースとほぼ同等に放熱性が向上するようになる。
【００１６】
したがって、金属製のケースのような充填材の漏れ出しが無くなるので、充填材の粘度を高くしたり、漏れ出さないように隙間を塞ぐというような対策が不要となる。
【００１７】
請求項２によれば、放熱部材の一端側を放電灯点灯回路基板の端部に対して、絶縁用隙間を隔てているから、絶縁性が向上するようになる。
【００１８】
請求項３によれば、ケース内を複数室に区画して、通過部から各室に充填材がスムーズに充填されるようにしたから、放電灯点灯回路基板を収納する室の充填材から放熱部材の一端側を収納する室の充填材に発熱が有効に伝導されるとともに、各室の区画壁によって、放熱部材の一端側と放電灯点灯回路基板の端部とに絶縁用隙間を確実に隔てられるので、絶縁性がより向上するようになる。
【００１９】
請求項４のように、放熱部材の一端側の一部を放電灯点灯回路基板のアース電位に接触させているから、放熱部材をアース電位とすることができ、ケースの外部の放熱部材からアース電位を容易に確保できるようになる。
【００２０】
請求項５のように、放熱部材を逆Ｕ字状に形成して、ケースの側壁に上方から差し込むようにしているから、放熱部材の取付けが簡単に行える。
【００２１】
請求項６のように、放熱部材を金属製のケース蓋に一体成形しているから、放熱性がより向上するとともに、放熱部材とケース蓋を別々に製造するよりも製造コストが安価になる。
【発明を実施するための最良の形態】
【００２２】
以下、本発明を実施するための最良の形態について、図面を参照しながら詳細に説明する。
【００２３】
図１および図５（ａ）は第１実施形態の放電灯点灯装置１０Ａである。ケース１１は合成樹脂で成形されていて、底壁１１ａの四周囲に側壁１１ｂが一体形成されて、金属製のケースのように、稜や角の折り目に発生する隙間から充填材が漏れ出すことがない。このケース１１の底壁１１ａの上面の適所には、複数のスぺーサー部１１ｃが一体形成されている。
【００２４】
上記ケース１１内には、電子部品を実装した放電灯点灯回路基板１２が収納されて（電子部品の図示は省略）、この放電灯点灯回路基板１２は、上記スぺーサー部１１ｃで当て止められて、ケース１１の底壁１１ａとの間に下部空間１６が形成されるとともに、放電灯点灯回路基板１２の上方に上部空間１７が形成されている。
【００２５】
上記ケース１１の長辺側の側壁１１ｂとほぼ同じ長さで、逆Ｕ字状に折り曲げられた金属製（例えばアルミニューム板）の放熱部材１４が設けられて、この放熱部材１４は、一端側１４ａがケース１１の内側となり、他端側１４ｂがケース１１の外側となるように、上記側壁１１ｂに上方から差し込まれている。そして、ケース１１の内側となる放熱部材１４の一端側１４ａは、放電灯点灯回路基板１２の端部に対して、絶縁用隙間ｔを隔てている。なお、上記放熱部材１４は、四周囲の側壁１１ｂの全てに対して設けても良い。
【００２６】
上記ケース１１内には、放電灯点灯回路基板１２が埋まるように、上記下部空間１６および上部空間１７の双方に合成樹脂製の充填材１３が必要なレベルまで充填されている。この充填材１３は、放熱部材１４の一端側１４ａに接触するようになる。
【００２７】
上記ケース１１の上部開口は、側壁１１ｂに放熱部材１４を差し込んだ状態で、合成樹脂製のケース蓋１５で閉じられるようになっている。
【００２８】
第１実施形態の構成であれば、合成樹脂のケース１１内に収納した放電灯点灯回路基板１２が埋まるように合成樹脂製の充填材１３を充填するとともに、一端側１４ａがケース１１の内部で充填材１３に接触し、他端側１１ｂがケース１１の外部に露出する金属製の放熱部材１４を設けているから、放電灯点灯回路基板１２の電子部品の発熱は、図５（ａ）に矢印ａで示すように、充填材１３からケース１１の内部の放熱部材１４の一端側１４ａに伝導されて、この放熱部材１４の他端側１４ｂからケース１１の外部に放熱されるようになるので、合成樹脂製のケース１１であっても金属製のケースとほぼ同等に放熱性が向上するようになる。
【００２９】
したがって、金属製のケースのような充填材の漏れ出しが無くなるので、充填材の粘度を高くしたり、漏れ出さないように隙間を塞ぐというような対策が不要となる。
【００３０】
また、合成樹脂製のケース１１の成形は、金属製のケースの成形のような複雑な金型を必要としないので、金型費が安価になって放電灯点灯装置をコスト安に製造することができる。
【００３１】
さらに、放熱部材１４の一端側１４ａを放電灯点灯回路基板１２の端部に対して、絶縁用隙間ｔを隔てているから、絶縁性が向上するようになる。
【００３２】
また、放熱部材１４を逆Ｕ字状に形成して、ケース１１の側壁１１ｂに上方から差し込むようにしているから、放熱部材１４の取付けが簡単に行える。
【００３３】
図２および図５（ｂ）は第２実施形態の放電灯点灯装置１０Ｂであり、第１実施形態の放電灯点灯装置１０Ａと相違するのは、放熱部材１４の一端側１４ａの適所に切り起こし部１４ｃを形成して、この切り起こし部１４ｃを放電灯点灯回路基板１２のアース電位に接触させている点である。
【００３４】
この構成であれば、放熱部材１４をアース電位とすることができ、ケース１１の外部の放熱部材１４からアース電位を容易に確保できるようになる。
【００３５】
図３、図６（ａ）および図７（ａ）は第３実施形態の放電灯点灯装置１０Ｃであり、第１実施形態の放電灯点灯装置１０Ａと相違するのは、ケース１１内を、放電灯点灯回路基板１２を収納する室１１Ａと放熱部材１４の一端側１４ａを収納する室１１Ｂとに区画して、各室１１Ａ，１１Ｂの区画壁１１ｄには、充填材の通過部（開口）１１ｅを形成した点である。
【００３６】
この構成であれば、ケース１１内を複数室１１Ａ，１１Ｂに区画して、通過部１１ｅから各室１１Ａ，１１Ｂに充填材１３がスムーズに充填されるようになるから、放電灯点灯回路基板１２を収納する室１１Ａの充填材１３から放熱部材１４の一端側１４ａを収納する室１１Ｂの充填材１３に発熱が有効に伝導され、ついで、放熱部材１４の一端側１４ａに伝導されて、この放熱部材１４の他端側１４ｂからケース１１の外部に放熱されるようになる。
【００３７】
また、各室１１Ａ，１１Ｂの区画壁１１ｄによって、放熱部材１４の一端側１４ａと放電灯点灯回路基板１２の端部とに絶縁用隙間ｔを確実に隔てられるので、絶縁性がより向上するようになる。
【００３８】
上記区画壁１１ｄは、ケース１１の短辺側の両側壁１１ｂから内方へ１個づつＩ字状に突出させた形状であったが、図７（ｂ）に示すように、ケース１の長辺側の一側壁１１ｂから内方へ複数個を逆Ｔ字状に突出させた形状であっても良い。この場合には、図７（ｃ）に示すように、上記放熱部材１４の一端側１４ａには、各区画壁１１ｄのＴ字状の基部に挿入可能なスリット１４ｄを形成しておく必要がある。
【００３９】
図４および図６（ｂ）は第４実施形態の放電灯点灯装置１０Ｄであり、第１実施形態の放電灯点灯装置１０Ａと相違するのは、上記ケース蓋１５を金属製とするとともに、このケース蓋１５に放熱部材１４を一体成形している点である。
【００４０】
この構成であれば、放熱部材１４を金属製のケース蓋１５に一体成形しているから、放熱性がより向上するとともに、放熱部材１４とケース蓋１５を別々に製造するよりも製造コストが安価になる。
【図面の簡単な説明】
【００４１】
【図１】第１実施形態の放電灯点灯装置の分解斜視図である。
【図２】第２実施形態の放電灯点灯装置の分解斜視図である。
【図３】第３実施形態の放電灯点灯装置の分解斜視図である。
【図４】第４実施形態の放電灯点灯装置の分解斜視図である。
【図５】（ａ）は、第１実施形態の放電灯点灯装置の組立て断面図、（ｂ）は、第２実施形態の放電灯点灯装置の組立て断面図である。
【図６】（ａ）は、第３実施形態の放電灯点灯装置の組立て断面図、（ｂ）は、第４実施形態の放電灯点灯装置の組立て断面図である。
【図７】第３実施形態の放電灯点灯装置であり、（ａ）はケースの平面図、（ｂ）は変形例のケースの平面図、（ｃ）は変形例の放熱部材の斜視図である。
【図８】従来の放電灯点灯装置であり、（ａ）は斜視図、（ｂ）は断面図である。
【符号の説明】
【００４２】
１０Ａ〜１０Ｄ  放電灯点灯装置
１１    ケース
１１Ａ，１１Ｂ  室
１１ｂ  側壁
１１ｄ  区画壁
１１ｅ  通過部
１２    放電灯点灯回路基板
１３    充填材
１４    放熱部材
１４ａ  一端側
１４ｂ  他端側
１４ｃ  切り起こし部
１５    ケース蓋
ｔ      絶縁用隙間
【図１】
2005129394.tif 000003
【図２】
2005129394.tif 000004
【図３】
2005129394.tif 000005
【図４】
2005129394.tif 000006
【図５】
2005129394.tif 000007
【図６】
2005129394.tif 000008
【図７】
2005129394.tif 000009
【図８】
2005129394.tif 000010